(57)【要約】      （修正有）【課題】小型サイズのＨＤＤカートリッジを装着できるアダプタが望まれている。【解決手段】挿入方向前端面側にコネクタ４が取り付けられた所定サイズのハードディスクドライブカートリッジと外形形状が略同じに形成された筐体１１のカートリッジ装着部１２ｆ内に、所定サイズのハードディスクドライブカートリッジよりも小型サイズで少なくとも奥行き寸法が異なる２種類のハードディスクドライブカートリッジ２、３のいずれか一方を選択的に装着して、２種類のハードディスクドライブカートリッジ２、３の各挿入方向前端面側に取り付けられた各コネクタ４をカートリッジ装着部１２ｆの前方で挿入方向前端面１２ｂに形成したコネクタ用開口部１２ｂ１に臨ませた状態で、ＨＤＤカートリッジのロック／ロック解除機構部によりいずれか一方のハードディスクドライブカートリッジ２又は３を筐体１１に対してロックする。【選択図】図３
2008117465.tif 000002
【特許請求の範囲】
【請求項１】
挿入方向前端面側にコネクタが取り付けられた所定サイズのハードディスクドライブカートリッジと外形形状が略同じに形成され、且つ、前記所定サイズのハードディスクドライブカートリッジよりも小型サイズで少なくとも奥行き寸法が異なる２種類のハードディスクドライブカートリッジのいずれか一方を選択的に装着するためのカートリッジ装着部が内部に形成され、更に、前記２種類のハードディスクドライブカートリッジの各挿入方向前端面側に取り付けられた各コネクタを臨ませるためのコネクタ用開口部が前記カートリッジ装着部の前方で挿入方向前端面に形成された筐体と、
前記筐体の側面側に設けられ、且つ、前記カートリッジ装着部内に選択的に装着された一方のハードディスクドライブカートリッジの側面に形成した係止溝に係合して該一方のハードディスクドライブカートリッジを前記筐体に対してロックする一方、前記一方のハードディスクドライブカートリッジの前記筐体へのロックを解除するロック／ロック解除機構部と、
を備えたことを特徴とするハードディスクドライブカートリッジ装着用アダプタ。
【請求項２】
前記ロック／ロック解除機構部は、前記筐体の左右の側面側に左右対称に設けられ、前記一方のハードディスクドライブカートリッジの左右の側面に形成した各係止溝に係合させることを特徴とする請求項１記載のハードディスクドライブカートリッジ装着用アダプタ。
【請求項３】
前記カートリッジ装着部内に選択的に装着される前記２種類のハードディスクドライブカートリッジの各挿入方向前端面側に取り付けられた各コネクタの位置を、前記所定サイズのハードディスクドライブカートリッジの挿入方向前端面側に取り付けられたコネクタの位置に略一致させるために、前記２種類のハードディスクドライブカートリッジに形成した各第１位置決め溝と嵌合する位置決め用突起を前記カートリッジ装着部内に設けたことを特徴とする請求項１又は請求項２記載のハードディスクドライブカートリッジ装着用アダプタ。
【発明の詳細な説明】
【技術分野】
【０００１】
本発明は、所定サイズのハードディスクドライブカートリッジと外形形状が略同じに形成された筐体内に、所定サイズのハードディスクドライブカートリッジよりも外形寸法が小型サイズで少なくとも奥行き寸法が異なる２種類のハードディスクドライブカートリッジを選択的に装着でき、且つ、各ハードディスクドライブカートリッジを装填可能な機器に対してカートリッジ側及び機器側のコネクタ同士が互換性を持って接続できるハードディスクドライブカートリッジ装着用アダプタに関するものである。
【背景技術】
【０００２】
最近、大容量の情報を記録再生するハードディスクドライブ（ＨＤＤ：Ｈａｒｄ  Ｄｉｓｃ  Ｄｒｉｖｅ）を内蔵した状態で可搬性を有するハードディスクドライブカートリッジ（以下、ＨＤＤカートリッジと記す）が注目されており、外形形状が異なる複数種のＨＤＤカートリッジに対してＡＶ（Ａｕｄｉｏ  Ｖｉｄｅｏ）機器からＰＣ（Ｐｅｒｓｏｎａｌ  Ｃｏｍｐｕｔｅｒ）まで幅広い用途に適用できるようにｉＶＤＲ（Ｉｎｆｏｒｍａｔｉｏｎ  Ｖｅｒｓａｔｉｌｅ  Ｄｉｓｋ  ｆｏｒ  Ｒｅｍｏｖａｂｌｅ  ｕｓａｇｅ）コンソーシアムにおいて規格化（標準化）の検討が行われている。
【０００３】
一方、外形形状が異なる２種類のリムーバルハードディスクのカートリッジを挿脱可能な記録装置、カートリッジ及びカートリッジの製造方法がある（例えば、特許文献１参照）。
【特許文献１】特開２００５−８５３１３号公報
【０００４】
図９は従来の記録装置、カートリッジを示した斜視図、
図１０（ａ），（ｂ）は従来例のカートリッジにおいて、外形形状が異なる２種類のリムーバルハードディスクのカートリッジをそれぞれ示した斜視図である。
【０００５】
図９及び図１０（ａ），（ｂ）に示した従来の記録装置、カートリッジは、上記した特許文献１（特開２００５−８５３１３号公報）に開示されているものであり、ここでは特許文献１を参照して簡略に説明する。
【０００６】
図９に示した如く、従来の記録装置１００では、略直方体形状の装置本体１０１を備えており、この装置本体１０１の前面１０１ａに外形形状が異なる２種類のリムーバルハードディスクのカートリッジ１１１，１１２の挿入方向前端面１１１ａ，１１２ａを先頭にしてカートリッジ１１１，１１２を挿脱するための挿脱口１０１ｂ，１０１ｃが２箇所形成されている。
【０００７】
この際、装置本体１０１の前面１０１ａに形成した２箇所の挿脱口１０１ｂ，１０１ｃは、上記した２種類のリムーバルハードディスクのカートリッジ１１１，１１２のどちらに対しても挿脱可能になっている。
【０００８】
一方、上記した外形形状が異なる２種類のリムーバルハードディスクのカートリッジ１１１，１１２は、装置本体１０１に対する挿脱方向（奥行き方向）の長さのみ異なる寸法に形成されているものの、その他の外形仕様寸法は略同じ寸法に設定されている。
【０００９】
また、カートリッジ１１１，１１２の挿入方向後端面１１１ｂ，１１２ｂに識別用ラベル１１３，１１３をそれぞれ貼り付けることで、カートリッジ１１１，１１２を装置本体１０１に装填した後も、カートリッジ１１１，１１２の種類を区別できるようになっている。
【００１０】
また、図１０（ａ），（ｂ）に示した如く、２種類のリムーバルハードディスクのカートリッジ１１１，１１２は、挿入方向前端面１１１ａ，１１２ａ側にコネクタ１１４，１１４がそれぞれ取り付けられており、これらのコネクタ１１４，１１４と装置本体１０１とが互換性を持って接続されるようになっている。
【００１１】
また、カートリッジ１１１，１１２は、一方の側面１１１ｃ，１１２ｃに誤挿入防止溝１１１ｃ１，１１２ｃ１が挿入方向前端面１１１ａ，１１２ａから挿入方向前後端面１１１ｂ，１１２ｂに向かって長尺に形成されていると共に、一方の側面１１１ｃ，１１２ｃと反対側に位置する他方の側面１１１ｄ，１１２ｄにも誤挿入防止溝（図示せず）が形成されている。
【発明の開示】
【発明が解決しようとする課題】
【００１２】
ところで、上記した従来例の記録装置１００では、外形形状が異なる２種類のリムーバルハードディスクのカートリッジ１１１，１１２を装置本体１０１の前面１０１ａに形成した２箇所の挿脱口１０１ｂ，１０１ｃから装填した時に互換性を持って接続できるものの、装置本体１０１の前面１０１ａに２種類のカートリッジ１１１，１１２に対応して２箇所の挿脱口１０１ｂ，１０１ｃを形成しなければならないので、装置本体１０１の外観が見苦しいばかりでなく、カートリッジ１１１，１１２の各挿入方向前端面１１１ａ，１１２ａ側にそれぞれ取り付けられた各コネクタ１１４と対応する各コネクタ（図示せず）を装置本体１０１内に２箇所設けなければならないために、記録装置１００の構造が複雑になり、これに伴って記録装置１００がコストアップになってしまうなどの問題が発生している。
【００１３】
そこで、外形形状が異なる複数種のハードディスクカートリッジをＡＶ機器やＰＣなどに装填する場合に、ＡＶ機器やＰＣ側で挿脱口を１箇所だけ形成しても複数種のハードディスクカートリッジにそれぞれ取り付けたコネクタとＡＶ機器やＰＣ内にそれぞれ設けたコネクタとが互換性を持って接続できるシステムの構築が望まれている。
【課題を解決するための手段】
【００１４】
本発明は上記課題に鑑みてなされたものであり、請求項１記載の発明は、挿入方向前端面側にコネクタが取り付けられた所定サイズのハードディスクドライブカートリッジと外形形状が略同じに形成され、且つ、前記所定サイズのハードディスクドライブカートリッジよりも小型サイズで少なくとも奥行き寸法が異なる２種類のハードディスクドライブカートリッジのいずれか一方を選択的に装着するためのカートリッジ装着部が内部に形成され、更に、前記２種類のハードディスクドライブカートリッジの各挿入方向前端面側に取り付けられた各コネクタを臨ませるためのコネクタ用開口部が前記カートリッジ装着部の前方で挿入方向前端面に形成された筐体と、
前記筐体の側面側に設けられ、且つ、前記カートリッジ装着部内に選択的に装着された一方のハードディスクドライブカートリッジの側面に形成した係止溝に係合して該一方のハードディスクドライブカートリッジを前記筐体に対してロックする一方、前記一方のハードディスクドライブカートリッジの前記筐体へのロックを解除するロック／ロック解除機構部と、
を備えたことを特徴とするハードディスクドライブカートリッジ装着用アダプタである。
【００１５】
また、請求項２記載の発明は、請求項１記載のハードディスクドライブカートリッジ装着用アダプタにおいて、
前記ロック／ロック解除機構部は、前記筐体の左右の側面側に左右対称に設けられ、前記一方のハードディスクドライブカートリッジの左右の側面に形成した各係止溝に係合させることを特徴とするハードディスクドライブカートリッジ装着用アダプタである。
【００１６】
更に、請求項３記載の発明は、請求項１又は請求項２記載のハードディスクドライブカートリッジ装着用アダプタにおいて、
前記カートリッジ装着部内に選択的に装着される前記２種類のハードディスクドライブカートリッジの各挿入方向前端面側に取り付けられた各コネクタの位置を、前記所定サイズのハードディスクドライブカートリッジの挿入方向前端面側に取り付けられたコネクタの位置に略一致させるために、前記２種類のハードディスクドライブカートリッジに形成した各第１位置決め溝と嵌合する位置決め用突起を前記カートリッジ装着部内に設けたことを特徴とするハードディスクドライブカートリッジ装着用アダプタである。
【発明の効果】
【００１７】
請求項１記載のハードディスクドライブカートリッジ装着用アダプタによると、所定サイズのハードディスクドライブカートリッジと外形形状が略同じに形成された筐体内に、所定サイズのハードディスクドライブカートリッジよりも小型サイズで少なくとも奥行き寸法が異なる２種類のハードディスクドライブカートリッジのいずれか一方をカートリッジ装着部内に選択的に装着した状態で、このハードディスクドライブカートリッジ装着用アダプタをＡＶ機器やＰＣ内に装填したときに、各ハードディスクドライブカートリッジにそれぞれ取り付けたコネクタとＡＶ機器やＰＣ内にそれぞれ設けたコネクタとが互換性を持って接続することができると共に、筐体のカートリッジ装着部内に選択的に装着した２種類の小型サイズのハードディスクドライブカートリッジのいずれか一方が筐体内の側面に設けたＨＤＤカートリッジのロック／ロック解除機構部によりロックされた後には外部に飛び出さないので、ハードディスクドライブカートリッジ装着用アダプタをＡＶ機器又はＰＣに対して安心して挿脱することができるので、使用勝手が良好で且つ信頼性が高いハードディスクドライブカートリッジ装着用アダプタを提供できる。そして、上記したハードディスクドライブカートリッジ装着用アダプタを適用する場合には、従来例と異なってＡＶ機器やＰＣ側にそれぞれ挿脱口を１箇所だけ形成すれば良いので外観が良好となると共に、ＡＶ機器やＰＣ内にそれぞれコネクタを１箇だけ設ければ良いのでＡＶ機器やＰＣを安価に提供できる。
【００１８】
また、請求項２記載のハードディスクドライブカートリッジ装着用アダプタによると、請求項１記載と同様な効果が得られると共に、ＨＤＤカートリッジのロック／ロック解除機構部を筐体の左右の側面側に左右対称に設けために、ロック／ロック解除機構部の信頼性への向上をより一層図ることができる。
【００１９】
また、請求項３記載のハードディスクドライブカートリッジ装着用アダプタによると、カートリッジ装着部内に選択的に装着される２種類のハードディスクドライブカートリッジの各挿入方向前端面側に取り付けられた各コネクタの位置を、所定サイズのハードディスクドライブカートリッジの挿入方向前端面側に取り付けられたコネクタの位置に略一致させるために、２種類のハードディスクドライブカートリッジに形成した各第１位置決め溝と嵌合する位置決め用突起をカートリッジ装着部内に設けたために、ＡＶ機器やＰＣ内で各ハードディスクドライブカートリッジにそれぞれ取り付けたコネクタに対して互換性を持って確実に接続することができる。
【発明を実施するための最良の形態】
【００２０】
以下に本発明に係るハードディスクドライブカートリッジ装着用アダプタの一実施例について図１〜図８を参照して詳細に説明する。
【００２１】
本発明に係る実施例のハードディスクドライブカートリッジ装着用アダプタ１０（図３）を説明する前に、先に述べたｉＶＤＲ（Ｉｎｆｏｒｍａｔｉｏｎ  Ｖｅｒｓａｔｉｌｅ  Ｄｉｓｃ  ｆｏｒ  Ｒｅｍｏｖａｂｌｅ  ｕｓａｇｅ）コンソーシアムにおいて規格化（標準化）の検討が行われている複数種のハードディスクドライブカートリッジについて図１（ａ）〜（ｃ）及び図２を用いて説明する。
【００２２】
図１は外形形状が異なる複数種のハードディスクドライブカートリッジを説明するための斜視図であり、（ａ）は３．５インチ型、（ｂ）は２．５インチ型、（ｃ）は１．８インチ型を示した図、
図２（ａ），（ｂ）は３．５インチ型のハードディスクドライブカートリッジ、又は、実施例のハードディスクドライブカートリッジ装着用アダプタが装填されるＡＶ機器又はＰＣを示した斜視図である。
【００２３】
図１（ａ）〜（ｃ）に示した如く、複数種のハードディスクドライブカートリッジ（以下、ＨＤＤカートリッジと記す）１〜３は、外形形状、即ち、外形寸法がそれぞれ異なって形成されている。
【００２４】
ここで、複数種のＨＤＤカートリッジ１〜３のうちで、まず、図１（ａ）に示したＨＤＤカートリッジ１は、外形形状が略直方体形状であり、且つ、所定サイズである最大サイズの３．５インチ型に構成されており、奥行き寸法Ｄ１，幅寸法Ｗ１，高さ寸法Ｈ１で形成された直方体内に不図示の３．５インチのハードディスクドライブ（ＨＤＤ）が内蔵されている。
【００２５】
この際、３．５インチ型のＨＤＤカートリッジ１において、上記した奥行き寸法Ｄ１，幅寸法Ｗ１，高さ寸法Ｈ１は、先に述べたｉＶＤＲ（Ｉｎｆｏｒｍａｔｉｏｎ  Ｖｅｒｓａｔｉｌｅ  Ｄｉｓｃ  ｆｏｒ  Ｒｅｍｏｖａｂｌｅ  ｕｓａｇｅ）コンソーシアムにおいて今後規格化された場合に、例えば、Ｄ１＝１８５ｍｍ，Ｗ１＝１１６ｍｍ，Ｈ１＝３０ｍｍ程度に設定されることが見込まれる。
【００２６】
また、上記した、３．５インチ型のＨＤＤカートリッジ１は、挿入方向前端面１ａ側を先頭にし、且つ、挿入方向後端面１ｂ側を把持しながら図２（ａ）に示したＡＶ機器５の前面５ａに１箇所形成した挿脱口５ｂ又は図２（ｂ）に示したＰＣ６の前面６ａに１箇所形成した挿脱口６ｂに対して着脱自在になっている。
【００２７】
そして、３．５インチ型のＨＤＤカートリッジ１をＡＶ機器５又はＰＣ６内に挿入した時に、ＡＶ機器５内に取り付けたコネクタ７又はＰＣ６内に取り付けたコネクタ７に対して電気的に接続するためのコネクタ４がＨＤＤカートリッジ１の挿入方向前端面１ａ側に取り付けられている。
【００２８】
また、３．５インチ型のＨＤＤカートリッジ１の左右の側面１ｃ，１ｄには、ＡＶ機器５やＰＣ６への誤挿入を防止するための誤挿入防止溝１ｃ１，１ｄ１が平坦な面(図示では下面)１ｅ側に偏位し、且つ、挿入方向前端面１ａ側を開口してこの位置から挿入方向後端面１ｂ側に向かって長尺に形成されていると共に、挿入方向後端面１ｂ側が閉じられている。
【００２９】
従って、３．５インチ型のＨＤＤカートリッジ１を図２（ａ），（ｂ）に示したＡＶ機器５の挿脱口５ｂ又はＰＣ６の挿脱口６ｂから挿入する時に各挿脱口５ｂ，６ｂの左右に設けた不図示の各誤挿入防止ガイドレールにＨＤＤカートリッジ１の誤挿入防止溝１ｃ１，１ｄ１が進入可能な場合のみ正規な挿入となる一方、ＨＤＤカートリッジ１の上下を反転したり、あるいは、前後を反転した時には不図示の各誤挿入防止ガイドレールにＨＤＤカートリッジ１の誤挿入防止溝１ｃ１，１ｄ１が進入できないので誤挿入として検知できるようになっている。
【００３０】
また、３．５インチ型のＨＤＤカートリッジ１で平坦な面（図示では下面)１ｅと反対側の面(図示では上面)１ｆも平坦に形成されている。
【００３１】
そして、３．５型のＨＤＤカートリッジ１は、後述する実施例のハードディスクドライブカートリッジ装着用アダプタ１０（図３）に対して装着不能であるものの、３．５インチ型のＨＤＤカートリッジ１を単独で図２（ａ），（ｂ）に示したＡＶ機器５又はＰＣ６内に装填した場合に、後述する実施例のハードディスクドライブカートリッジ装着用アダプタ１０（図３）に対して接続の互換性を持つことができるように構成されている。
【００３２】
即ち、ＡＶ機器５又はＰＣ６内で接続の互換性を保つためには、ＨＤＤカートリッジ１の挿入方向前端面１ａ側に取り付けられたコネクタ４の取り付け位置を規格化することであり、具体的には、ＨＤＤカートリッジ１の平坦な面１ｅを基準面とした時に、ＨＤＤカートリッジ１の平坦な面１ｅからコネクタ４の高さ位置までの寸法をｈ１に設定すると共に、ＨＤＤカートリッジ１の平坦な面１ｅからＨＤＤカートリッジ１の左右の側面１ｃ，１ｄに形成した誤挿入防止溝１ｃ１，１ｄ１までの高さ寸法をｈ２に設定し、且つ、コネクタ４の幅方向中心位置をＨＤＤカートリッジ１の幅方向中心に設定している。この際、上記した高さ寸法ｈ１，ｈ２もまだ規格化されていないものの、予想される寸法はｈ１＝１．８ｍｍ，ｈ２＝３．０ｍｍ程度である。
【００３３】
次に、図１（ｂ）に示したＨＤＤカートリッジ２は、外形形状が略直方体形状であり、且つ、所定サイズ（以下、最大サイズと記す）の３．５インチ型よりも小型サイズの２．５インチ型に構成されており、このＨＤＤカートリッジ２はｉＶＤＲコンソーシアムにおいて外形寸法の規格化（標準化）が既に決定していて、奥行き寸法Ｄ２＝１１０ｍｍ，幅寸法Ｗ２＝８０ｍｍ，高さ寸法Ｈ２＝１２．７ｍｍに形成された直方体内に不図示の２．５インチのハードディスクドライブ（ＨＤＤ）が内蔵されている。
【００３４】
上記した２．５インチ型のＨＤＤカートリッジ２は、挿入方向前端面２ａ側を先頭にし、且つ、挿入方向後端面２ｂ側を把持しながら後述する実施例のハードディスクドライブカートリッジ装着用アダプタ１０（図３）に対して着脱自在になっていると共に、機器によっては単独での装填も可能になっている。
【００３５】
そして、２．５インチ型のＨＤＤカートリッジ２を装着したハードディスクドライブカートリッジ装着用アダプタ１０（図３）を図２（ａ），（ｂ）に示したＡＶ機器５又はＰＣ６内に挿入した時に、ＡＶ機器５内に取り付けたコネクタ７又はＰＣ６内に取り付けたコネクタ７に対して電気的に接続するためのコネクタ４がＨＤＤカートリッジ２の挿入方向前端面２ａ側に取り付けられている。
【００３６】
また、ＨＤＤカートリッジ２の左右の側面２ｃ，２ｄには、誤挿入防止溝兼係止溝２ｃ１，２ｄ１が平坦な面(図示では下面)２ｅ側に偏位し、且つ、挿入方向前端面２ａ側を開口してこの位置から挿入方向後端面２ｂ側に向かって長尺に形成されていると共に、挿入方向後端面２ｂ側が閉じられている。
【００３７】
そして、ＨＤＤカートリッジ２の左右の側面２ｃ，２ｄに形成した誤挿入防止溝兼係止溝２ｃ１，２ｄ１は、単独で装填可能な不図示の機器に対して誤挿入を防止するための誤挿入防止溝として機能すると共に、後述する実施例のハードディスクドライブカートリッジ装着用アダプタ１０（図３）内にＨＤＤカートリッジ２を装着したときにこのＨＤＤカートリッジ２を筐体１１（図３）に対してロックする係止溝として機能している。
【００３８】
また、ＨＤＤカートリッジ２の左右の側面２ｃ，２ｄで、挿入方向前端面２ａから挿入方向後端面２ｂに向かって距離Ｌ１だけ離れた位置に第１位置決め溝（２ｃ２…図示せず），２ｄ２が図示上方の平坦な面２ｆに向かって形成されている共に、挿入方向前端面２ａから距離Ｌ１より長い距離Ｌ２だけ離れた位置に第２位置決め溝２ｃ３，２ｄ３が上記した平坦な面２ｆと反対側で図示下方の平坦な面２ｅに向かって形成されており、第１位置決め溝（２ｃ２…図示せず），２ｄ２の機能については後述する一方、第２位置決め溝２ｃ３，２ｄ３はこの実施例では使用されないので機能説明を省略する。
【００３９】
また、ＨＤＤカートリッジ２の左右の側面２ｃ，２ｄで、平坦な面２ｆ側に左右の側面２ｃ，２ｄよりも幅方向内側に向かって引っ込んだ凹段部２ｃ４，２ｄ４が挿入方向前端面２ａから挿入方向後端面２ｂに向かって長尺に形成されており、これらの凹段部２ｃ４，２ｄ４間が下記する１．８インチ型のＨＤＤカートリッジ３よりも高さが僅かに高く且つ幅方向が左右の側面２ｃ，２ｄよりも狭く突出している部分である。
【００４０】
次に、図１（ｃ）に示したＨＤＤカートリッジ３は、外形形状が略直方体形状であり、且つ、２．５インチ型よりも小型サイズの１．８インチ型に構成されており、このＨＤＤカートリッジ３はｉＶＤＲコンソーシアムにおいて外形寸法の規格化（標準化）が既に決定していて、奥行き寸法Ｄ３＝６７ｍｍ，幅寸法Ｗ３＝８０ｍｍ，高さ寸法Ｈ３＝１０ｍｍに形成された直方体内に不図示の１．８インチのハードディスクドライブ（ＨＤＤ）が内蔵されている。
【００４１】
上記した１．８インチ型のＨＤＤカートリッジ３は、奥行き寸法Ｄ３及び高さ寸法Ｈ３が前記した２．５インチ型のＨＤＤカートリッジ２の奥行き寸法Ｄ２及び高さ寸法Ｈ２よりも小さいものの、幅寸法Ｗ３が前記した２．５インチ型のＨＤＤカートリッジ２の幅寸法Ｗ２と同じになっているので、挿入方向前端面３ａ側を先頭にし、且つ、挿入方向後端面３ｂ側を把持しながら後述する実施例のハードディスクドライブカートリッジ装着用アダプタ１０（図３）に対して着脱自在になっていると共に、機器によっては単独での装填も可能になっている。
【００４２】
そして、１．８インチ型のＨＤＤカートリッジ３を装着したハードディスクドライブカートリッジ装着用アダプタ１０（図３）を図２（ａ），（ｂ）に示したＡＶ機器５又はＰＣ６内に挿入した時に、ＡＶ機器５内に取り付けたコネクタ７又はＰＣ６内に取り付けたコネクタ７に対して電気的に接続するためのコネクタ４がＨＤＤカートリッジ３の挿入方向前端面３ａ側に取り付けられている。
【００４３】
また、ＨＤＤカートリッジ３の左右の側面３ｃ，３ｄには、誤挿入防止溝兼係止溝３ｃ１，３ｄ１が平坦な面(図示では下面)３ｅ側に偏位し、且つ、挿入方向前端面３ａ側を開口してこの位置から挿入方向後端面３ｂ側に向かって長尺に形成されていると共に、挿入方向後端面３ｂ側が閉じられている。
【００４４】
そして、ＨＤＤカートリッジ３の左右の側面３ｃ，３ｄに形成した誤挿入防止溝兼係止溝３ｃ１，３ｄ１は、単独で装填可能な不図示の機器に対して誤挿入を防止するための誤挿入防止溝として機能すると共に、後述する実施例のハードディスクドライブカートリッジ装着用アダプタ１０（図３）内にＨＤＤカートリッジ３を装着したときにこのＨＤＤカートリッジ３を筐体１１（図３）に対してロックする係止溝として機能している。
【００４５】
また、ＨＤＤカートリッジ３の左右の側面３ｃ，３ｄで、挿入方向前端面３ａから挿入方向後端面３ｂに向かって距離Ｌ１だけ離れた位置に第１位置決め溝（３ｃ２…図示せず），３ｄ２が図示上方の平坦な面３ｆに向かって形成されていると共に、挿入方向前端面３ａから距離Ｌ１より長い距離Ｌ２だけ離れた位置に第２位置決め溝３ｃ３，３ｄ３が上記した平坦な面３ｆと反対側で図示下方の平坦な面３ｅに向かって形成されており、これらの第１位置決め溝（３ｃ２），３ｄ２及び第２位置決め溝３ｃ３，３ｄ３は上記した２．５インチ型のＨＤＤカートリッジ２と同一寸法位置に形成されているが、第１位置決め溝（３ｃ２），３ｄ２の機能については後述する一方、第２位置決め溝３ｃ３，３ｄ３はこの実施例では使用されないので機能説明を省略する。
【実施例】
【００４６】
図３（ａ），（ｂ）は本発明に係る実施例のハードディスクドライブカートリッジ装着用アダプタを上方，下方から見た斜視図、
図４（ａ），（ｂ）は本発明に係る実施例のハードディスクドライブカートリッジ装着用アダプタのカートリッジ装着部内に、２．５インチ型のハードディスクドライブカートリッジ，１．８インチ型のハードディスクドライブカートリッジをそれぞれ装着した状態を示した斜視図、
図５（ａ），（ｂ）は本発明に係る実施例のハードディスクドライブカートリッジ装着用アダプタのカートリッジ装着部内に、２．５インチ型のハードディスクドライブカートリッジ，１．８インチ型の各ハードディスクドライブカートリッジをそれぞれ装着した時に、各ハードディスクドライブカートリッジに取り付けた各コネクタを示した前面図、
図６は本発明に係る実施例のハードディスクドライブカートリッジ装着用アダプタにおいて、ＨＤＤカートリッジのロック及びロック解除機構部を示した斜視図、
図７（ａ），（ｂ）は本発明に係る実施例のハードディスクドライブカートリッジ装着用アダプタにおいて、ＨＤＤカートリッジのロック／ロック解除機構部が初期状態であり、且つ、ＨＤＤカートリッジのロックを解除する状態を説明するための斜視図，平面図、
図８（ａ），（ｂ）は本発明に係る実施例のハードディスクドライブカートリッジ装着用アダプタにおいて、ＨＤＤカートリッジをロックする状態を説明するための斜視図，平面図である。
【００４７】
図３（ａ），（ｂ）に示した如く、本発明に係る実施例のハードディスクドライブカートリッジ装着用アダプタ１０では、略直方体形状に形成された筐体１１の外形寸法が、先に図１（ａ）を用いて説明した最大サイズである３．５インチ型のＨＤＤカートリッジ１の外形寸法（奥行き寸法Ｄ１，幅寸法Ｗ１，高さ寸法Ｈ１）と略同じに形成されており、ＨＤＤカートリッジ１の外形寸法は前述したようにまだ規格化されていないものの、今後規格化された場合に、前述したように各寸法Ｄ１，Ｗ１，Ｈ１は、例えば、Ｄ１＝１８５ｍｍ，Ｗ１＝１１６ｍｍ，Ｈ１＝３０ｍｍ程度に設定されることが見込まれる。
【００４８】
そして、実施例のハードディスクドライブカートリッジ装着用アダプタ１０は、略直方体形状に形成された筐体１１の内部に図１（ａ）で示した最大サイズである３．５インチ型のＨＤＤカートリッジ１よりも小型サイズで少なくとも奥行き寸法が異なる２種類のＨＤＤカートリッジ２，３のいずれか一方が選択的に装着可能になっており、具体的には、図１（ｂ）で示した２．５インチ型のＨＤＤカートリッジ２、又は、図１（ｃ）で示した１．８インチ型のＨＤＤカートリッジ３が選択的に装着可能なっている。
【００４９】
そして、筐体１１内に２．５インチ型のＨＤＤカートリッジ２又は１．８インチ型のＨＤＤカートリッジ３のいずれか一方が選択的に装着された状態で、先に図２（ａ），（ｂ）を用いて説明したＡＶ機器５又はＰＣ６内に装填したときに、後述するように、単独で装填される３．５インチ型のＨＤＤカートリッジ１に対して接続の互換性が得られるようになっている。
【００５０】
この際、上記した筐体１１は、樹脂材を用いて成形加工した第１筐体１２と第２筐体１３とに２分割されており、第１筐体１２の平坦な面(図示では下面)１２ａの裏面側をカバーとして機能する第２筐体１３で覆い隠すように第１，第２筐体１２，１３を重ね合わせた後に、第１筐体１２の平坦な面１２ａの後方左右に形成した２箇所の取り付け孔１２ａ１と、後述する第１筐体１２のカートリッジ装着部１２ｆ内の前方左右に形成した２箇所の取り付け孔１２ｆ１とに、合計４本のネジ１４を挿入して第２筐体１３の平坦な面１３ａの裏面側に形成した不図示のボスに締結することで筐体１１が略直方形状に組み立てられている。
【００５１】
また、第１，第２筐体１２，１３を重ね合わせて組み立てた筐体１１は、第１，第２筐体１２，１３の各挿入方向前端面１２ｂ，１３ｂが図２（ａ），（ｂ）に示したＡＶ機器５又はＰＣ６内に挿入する時の先頭側になっており、且つ、第１筐体１２の挿入方向後端面１２ｃ及び左右の側面１２ｄ，１２ｅは薄い板厚で板状に形成されているので、第１筐体１２の挿入方向後端面１２ｃ及び左右の側面１２ｄ，１２ｅを第２筐体１３の挿入方向後端面１３ｃ及び左右の側面１３ｄ，１３ｅで覆うことで、第２筐体１３の挿入方向後端面１３ｃ側を手で把持できるようになっている。
【００５２】
また、第２筐体１３の左右の側面１３ｄ，１３ｅには、ＡＶ機器５やＰＣ６への誤挿入を防止するための誤挿入防止溝１３ｄ１，１３ｅ１が第１筐体１２の平坦な面(図示では下面)１２ａ側に偏位し、且つ、第２筐体１３の挿入方向前端面１３ｂ側を開口してこの位置から挿入方向後端面１３ｃ側に向かって長尺に形成されていると共に、挿入方向後端面１３ｃ側が閉じられており、これらの誤挿入防止溝１３ｄ１，１３ｅ１は先に図１（ａ）に示した３．５インチ型のＨＤＤカートリッジ１に形成した誤挿入防止溝１ｃ１，１ｄ１と同じ寸法仕様になっている。
【００５３】
従って、実施例のハードディスクドライブカートリッジ装着用アダプタ１０を図２（ａ），（ｂ）に示したＡＶ機器５の挿脱口５ｂ又はＰＣ６の挿脱口５ｂから挿入する時に各挿脱口５ｂ，６ｂの左右に設けた不図示の各誤挿入防止ガイドレールに第２筐体１３に形成した誤挿入防止溝１３ｄ１，１３ｅ１が進入可能な場合のみ正規な挿入となる一方、ハードディスクドライブカートリッジ装着用アダプタ１０の上下を反転したり、あるいは、前後を反転した時には不図示の各誤挿入防止ガイドレールに第２筐体１３に形成した誤挿入防止溝１３ｄ１，１３ｅ１が進入できないので誤挿入として検知できるようになっている。
【００５４】
また、第２筐体１３の挿入方向前端面１３ｂ側で左右の側面１３ｄ，１３ｅには、複数の孔（１３ｄ２…図示せず），１３ｅ２が形成されている。そして、複数の孔（１３ｄ２），１３ｅ２は、ローディング用孔とアダプタロック用孔として用いられている。
【００５５】
この際、ハードディスクドライブカートリッジ装着用アダプタ１０を図２（ａ），（ｂ）に示したＡＶ機器５やＰＣ６に挿脱する場合に、複数の孔（１３ｄ２），１３ｅ２のうちでローディング用孔に対して、ＡＶ機器５やＰＣ６内の左右に設けた不図示の各ローディグ部材が係合することで、実施例のハードディスクドライブカートリッジ装着用アダプタ１０がＡＶ機器５やＰＣ６に対して挿脱自在になっている。
【００５６】
一方、ハードディスクドライブカートリッジ装着用アダプタ１０をＡＶ機器５やＰＣ６内に装填した後に、複数の孔（１３ｄ２），１３ｅ２のうちでアダプタロック用孔に対して、ＡＶ機器５やＰＣ６内の左右に設けた不図示の各ロック爪が係合することで、実施例のハードディスクドライブカートリッジ１０がＡＶ機器５やＰＣ６内から抜け出ることを防止することができる。
【００５７】
また、第１，第２筐体１２，１３のうちで、第１筐体１２は、図１（ｂ）で示した２．５インチ型のＨＤＤカートリッジ２、又は、図１（ｃ）で示した１．８インチ型のＨＤＤカートリッジ３を選択的に装着するためのカートリッジ装着部１２ｆが平坦な面１２ａ側を開口して凹状に形成されており、且つ、このカートリッジ装着部１２ｆの前方で挿入方向前端面１２ｂには、第１筐体１２内に選択的に装着されたＨＤＤカートリッジ２又はＨＤＤカートリッジ３に取り付けた各コネクタ４を臨ませるためのコネクタ用開口部１２ｂ１が略矩形状に形成されている。
【００５８】
また、第１筐体１２の平坦な面１２ａ中で中間部位よりも後方の左右の側面１２ｄ，１２ｅ側には、後述するＨＤＤカートリッジのロック及びロック解除機構部２０（図６）の左右一対のスライドプレート２３Ｌ，２３Ｒに形成した各操作用突出片２３ｆ，２３ｆを臨ませる左右一対の第１長孔１２ａ２，１２ａ２と、ＨＤＤカートリッジのロック及びロック解除機構部２０（図６）の左右一対のスライドプレートロックレバー２５Ｌ，２５Ｒに形成した各操作用ボス２５ｂ，２５ｂを臨ませる左右一対の第２長孔１２ａ３，１２ａ３とが貫通して穿設されている。
【００５９】
また、第１筐体１２の平坦な面１２ａ側に凹状に形成したカートリッジ装着部１２ｆの左右の内側面には、後述するＨＤＤカートリッジのロック及びロック解除機構部２０（図６）の左右一対の第１カートリッジロックレバー２１Ｌ，（２１Ｒ…図示せず）に形成した各ロック爪２１ｂ，（２１ｂ…図示せず）を臨ませる左右一対の第１矩形孔１２ｆ２，（１２ｆ２…図示せず）と、ＨＤＤカートリッジのロック及びロック解除機構部２０（図６）の左右一対の第２カートリッジロックレバー２２Ｌ，（２２Ｒ…図示せず）に形成した各ロック爪２２ｂ，（２２ｂ…図示せず）を臨ませる左右一対の第２矩形孔１２ｆ３，（１２ｆ３…図示せず）とが貫通して穿設されている。
【００６０】
また、第１筐体１２に形成したカートリッジ装着部１２ｆの左右の内側面上方には、カートリッジ載置用段部１２ｆ４，（１２ｆ４…図示せず）が奥行き方向に沿って僅かな高さで図示下方に向かって突出形成されており、これら左右のカートリッジ載置用段部１２ｆ４，（１２ｆ４）上に図１（ｂ）で示した２．５インチ型のＨＤＤカートリッジ２に形成した平坦な面２ｆ、又は、図１（ｃ）で示した１．８インチ型のＨＤＤカートリッジ３に形成した平坦な面３ｆが載置され、且つ、左右のカートリッジ載置用段部１２ｆ４，（１２ｆ４）間に図１（ｂ）で示した２．５インチ型のＨＤＤカートリッジ２の左右の側面２ｃ，２ｄよりも幅方向内側に向かって引っ込んだ凹段部２ｃ４，２ｄ４が進入可能になっている。
【００６１】
更に、第１筐体１２に形成したカートリッジ装着部１２ｆ内で左右のカートリッジ載置用段部１２ｆ４，（１２ｆ４…図示せず）上には、挿入方向前端面１２ｂから奥側に向かって距離Ｌ１の位置に位置決め用突起１２ｆ５，（１２ｆ５…図示せず）が僅かな高さで図示下方に突出して形成されているので、これらの位置決め用突起１２ｆ５，（１２ｆ５）が図１（ｂ）で示した２．５インチ型のＨＤＤカートリッジ２の左右の側面２ｃ，２ｄで平坦な面２ｆに向かって形成した第１位置決め溝（２ｃ２…図示せず），２ｄ２、又は、図１（ｃ）で示した１．８インチ型のＨＤＤカートリッジ３の左右の側面３ｃ，３ｄで平坦な面３ｆに向かってに形成した第１位置決め溝（３ｃ２…図示せず），３ｄ２に嵌合するようになっている。
【００６２】
従って、第１筐体１２のカートリッジ装着部１２ｆの左右の内側面上方に突出形成した位置決め用突起１２ｆ５，（１２ｆ５）によって、ＨＤＤカートリッジ２又はＨＤＤカートリッジ３に対して上下の向きが規制され、且つ、挿入方向の前後が規制されると共に、ＨＤＤカートリッジ２の挿入方向前端面２ａ側に取り付けられたコネクタ４とＨＤＤカートリッジ３の挿入方向前端面２ａ側に取り付けられたコネクタ４とが第１筐体１２の挿入方向前端面１２ｂ側に対して略同一位置に設定されると共に、先に図１（ａ）で示した３．５インチ型のＨＤＤカートリッジ１の挿入方向前端面１ａ側に取り付けられたコネクタ４と略同一位置に設定される。
【００６３】
そして、第１筐体１２のカートリッジ装着部１２ｆの左右の内側面上方に突出形成した位置決め用突起１２ｆ５，（１２ｆ５）によって、２．５インチ型のＨＤＤカートリッジ２、又は、１．８インチ型のＨＤＤカートリッジ３が第１筐体１２のカートリッジ装着部１２ｆ内の正規な位置にそれぞれ装着された時に、図４（ａ），（ｂ）及び図５（ａ），（ｂ）に示したように、第１筐体１２の挿入方向前端面１２ｂに形成したコネクタ用開口部１２ｂ１内に２．５インチ型のＨＤＤカートリッジ２の挿入方向前端面２ａ側に取り付けられたコネクタ４、又は、１．８インチ型のＨＤＤカートリッジ３の挿入方向前端面３ａ側に取り付けられたコネクタ４が臨んでいる。
【００６４】
この際、図５（ａ），（ｂ）に示した如く、第１筐体１２の平坦な面１２ａを基準面とした時、第１筐体１２の平坦な面１２ａからコネクタ４の高さ位置までの寸法ｈ１と、第１筐体１２の平坦な面１２ａから第２筐体１３の左右の側面１３ｄ，１３ｅに形成した誤挿入防止溝１３ｄ１，１３ｅ１までの高さ寸法ｈ２とが、先に図１（ａ）で示した３．５インチ型のＨＤＤカートリッジ１と略同じ寸法に設定されていると共に、コネクタ４の幅方向中心位置が第１筐体１２の幅方向中心に設定されている。尚、上記した高さ寸法ｈ１，ｈ２もまだ規格化されていないものの、前述したと同様に、予想される寸法はｈ１＝１．８ｍｍ，ｈ２＝３．０ｍｍ程度である。
【００６５】
これにより、２．５インチ型のＨＤＤカートリッジ２又は１．８インチ型のＨＤカートリッジ３を装着した実施例のハードディスクドライブカートリッジ装着用アダプタ１０を図２（ａ），（ｂ）に示したＡＶ機器５又はＰＣ６内に挿入した時に、３．５インチ型のＨＤＤカートリッジ１と同様に、ＨＤＤカートリッジ２に取り付けたコネクタ４又はＨＤＤカートリッジ３に取り付けたコネクタ４がＡＶ機器５内に取り付けたコネクタ７又はＰＣ６内に取り付けたコネクタ７に対して互換性を持って接続することができる。
【００６６】
次に、第１筐体１２の平坦な面１２ａ側に形成したカートリッジ装着部１２ｆ内に選択的に装着した２．５インチ型のＨＤＤカートリッジ２又は１．８インチ型のＨＤＤカートリッジ３を第１筐体１２に対してロックしたり、第１筐体１２へのロックを解除するためのＨＤＤカートリッジのロック／ロック解除機構部の構成について図６〜図８を用いて説明する。
【００６７】
図６に示した如く、第２筐体１３（図３）を取り除いた状態で第１筐体１２の平坦な面１２ａの裏面側には、図３（ｂ）に示したカートリッジ装着部１２ｆと対応した凸状面部１２ｇが挿入方向前端面１２ｂ側から挿入方向後端面１２ｃ側に向かって挿入方向前端面１２ｂよりも低い高さで突出形成されていると共に、凸状面部１２ｇの奥行き方向に沿った左右部位と後方部位とに板状面部１２ｈが平坦に形成されている。
【００６８】
そして、第１筐体１２の平坦な面１２ａの裏面側に平坦に形成した板状面部１２ｈ上で左右の側面１２ｄ,１２ｅ側に実施例の要部となるＨＤＤカートリッジのロック／ロック解除機構部２０が左右対称に設けられており、このＨＤＤカートリッジのロック／ロック解除機構部２０は、第１筐体１２のカートリッジ装着部１２ｆ内に選択的に装着された一方のハードディスクドライブカートリッジ２又は３の左右の側面２ｃ，２ｄ又は３ｃ，３ｄに形成した各誤挿入防止溝兼係止溝２ｃ１，２ｄ１又は３ｃ１，３ｄ１に係合して一方のハードディスクドライブカートリッジ２又は３を筐体１１（図３）に対してロックする一方、一方のハードディスクドライブカートリッジ２又は３の筐体１１へのロックを解除する機能を備えている。
【００６９】
尚、以下の説明では、ＨＤＤカートリッジのロック／ロック解除機構部２０を第１筐体１２の左右の側面１２ｄ,１２ｅ側に左右対称に設けた場合について説明するが、これに限ることなく、ＨＤＤカートリッジのロック／ロック解除機構部２０を第１筐体１２の左側面１２ｄ側のみ又は右側面１２ｅのみに設けても良いが、左右に設けた方が信頼性への向上をより一層図ることができる。
【００７０】
上記したＨＤＤカートリッジのロック／ロック解除機構部２０は、図１（ｂ）に示したＨＤＤカートリッジ２の左右の側面２ｃ，２ｄに形成した誤挿入防止溝兼係止溝２ｃ１，２ｄ１、又は、図１（ｃ）に示したＨＤＤカートリッジ３の左右の側面３ｃ，３ｄに形成した誤挿入防止溝兼係止溝３ｃ１，３ｄ１をロック又はロック解除する左右一対の第１カートリッジロックレバー２１Ｌ，２１Ｒ及び第２カートリッジロッレバー２２Ｌ，２２Ｒと、
左右一対の第１カートリッジックレバー２１Ｌ，２１Ｒ及び左右一対の第２カートリッジロックレバー２２Ｌ，２２Ｒに係合しながら第１筐体１２の奥行き方向（矢印Ｘ１，Ｘ２方向）に移動させることで左右一対の第１カートリッジロックレバー２１Ｌ，２１Ｒ及び左右一対の第２カートリッジロックレバー２２Ｌ，２２Ｒをロック解除方向又はロック方向に回動させる左右一対のスライドプレート２３Ｌ，２３Ｒと、
左右一対のスライドプレート２３Ｌ，２３Ｒを付勢する左右一対の第１引張バネ２４Ｌ，２４Ｒと、
左右対称に矢印Ｙ１，Ｙ２方向に回動させることで左右一対のスライドプレート２３Ｌ，２３Ｒをロック解除又はロックする左右一対のスライドプレートロックレバー２５Ｌ，２５Ｒと、
左右一対のスライドプレートロックレバーを付勢する左右一対の第２引張バネ２６Ｌ，２６Ｒとで構成されている。
【００７１】
まず、上記した左右一対の第１カートリッジロックレバー２１Ｌ，２１Ｒは、第１筐体１２の裏面側に突出した凸状面部１２ｇの左右側方に位置した板状面部１２ｈ上で挿入方向前端面１２ｂ側に左右対称に配置されている。
【００７２】
また、左右一対の第１カートリッジロックレバー２１Ｌ，２１Ｒそれぞれは、レバー後端に軸孔２１ａが貫通して穿設され、且つ、レバー先端にロック爪２１ｂが第１筐体１２の凸状面部１２ｇ側に向かって突出形成されている共に、ロック爪２１ｂ側にカム溝２１ｃが傾斜カム状に貫通して穿設されている。
【００７３】
そして、左右一対の第１カートリッジロックレバー２１Ｌ，２１Ｒに形成した各軸孔２１ａ，２１ａが第１筐体１２の板状面部１２ｈ上の左右に形成した各ボス（１２ｈ１…図示せず），１２ｈ１に回動自在に嵌合しており、且つ、左右一対の第１カートリッジロックレバー２１Ｌ，２１Ｒに形成した各ロック爪２１ｂ，２１ｂが第１筐体１２のカートリッジ装着部１２ｆと対応した凸状面部１２ｇの左右に形成した各第１矩形孔（１２ｆ２…図示せず），１２ｆ２内から図１（ｂ）に示したＨＤＤカートリッジ２の左右の誤挿入防止溝兼係止溝２ｃ１，２ｄ１、又は、図１（ｃ）に示したＨＤＤカートリッジ３の左右の誤挿入防止溝兼係止溝３ｃ１，３ｄ１に対して進退自在になっている。
【００７４】
次に、上記した左右一対の第２カートリッジロックレバー２２Ｌ，２２Ｒは、第１筐体１２の裏面側に突出した凸状面部１２ｇの左右側方に位置した板状面部１２ｈ上で挿入方向後端面１２ｃ側に左右対称に配置されている。
【００７５】
また、左右一対の第２カートリッジロックレバー２２Ｌ，２２Ｒそれぞれは、レバー先端に軸孔２２ａが貫通して穿設され、且つ、レバー中間部位及びレバー後端部位に合計２つのロック爪２２ｂが第１筐体１２の凸状面部１２ｇ側に向かって突出形成されている共に、後端部位のロック爪２２ｂ側にカム溝２２ｃが傾斜カム状に貫通して穿設されている。
【００７６】
そして、左右一対の第２カートリッジロックレバー２２Ｌ，２２Ｒに形成した各軸孔２２ａ，２２ａが第１筐体１２の板状面部１２ｈ上の左右に形成した各ボス（１２ｈ２…図示せず），１２ｈ２に回動自在に嵌合しており、且つ、左右一対の第２カートリッジロックレバー２２Ｌ，２２Ｒに形成した各ロック爪２２ｂ，２２ｂが第１筐体１２のカートリッジ装着部１２ｆと対応した凸状面部１２ｇの左右に形成した各第２矩形孔（１２ｆ３…図示せず），１２ｆ３内から図１（ｂ）に示したＨＤＤカートリッジ２の左右の誤挿入防止溝兼係止溝２ｃ１，２ｄ１、又は、図１（ｃ）に示したＨＤＤカートリッジ３の左右の誤挿入防止溝兼係止溝３ｃ１，３ｄ１に対して進退自在になっている。
【００７７】
次に、上記した左右一対のスライドプレート２３Ｌ，２３Ｒは、左右一対の第１カートリッジロックレバー２１Ｌ，２１Ｒ及び左右一対の第２カートリッジロックレバー２２Ｌ，２２Ｒの上方に重なってそれぞれに係合した状態で矢印Ｘ１，Ｘ２方向に移動可能に設けられている。
【００７８】
また、左右一対のスライドプレート２３Ｌ，２３Ｒそれぞれは、先端に第１ボス２３ａが上下に向かって突出され、且つ、中間部位に第２ボス２３ｂが上下に向かって突出されていると共に、第１ボス２３ａと第２ボス２３ｂとの間に第１，第２ガイド溝２３ｃ，２３ｄが２箇所貫通して穿設され、且つ、第２ボス２３ｂの後方にバネ掛止片２３ｅが上下に向かって突出され、更に、バネ掛止片２３ｅの後方に手動操作される操作用突出片２３ｆが上下に向かって突出されている。
【００７９】
尚、左右一対のスライドプレート２３Ｌ，２３Ｒそれぞれに、第１ボス２３ａと、第２ボス２３ｂと、バネ掛止片２３ｅと、操作用突出片２３ｆとを上下に突出させることにより、表裏を反転すれば左右対称になるので左右共用化して部品点数の削減を図ることができる。
【００８０】
そして、左右一対のスライドプレート２３Ｌ，２３Ｒに形成した各第１ボス２３ａ，２３ａが左右一対の第１カートリッジロックレバー２１Ｌ，２１Ｒに形成した各カム溝２１ｃ，２１ｃに嵌合し、且つ、左右一対のスライドプレート２３Ｌ，２３Ｒに形成した各第２ボス２３ｂ，２３ｂが左右一対の第２カートリッジロックレバー２２Ｌ，２２Ｒに形成した各カム溝２２ｃ，２２ｃに嵌合すると共に、左右一対のスライドプレート２３Ｌ，２３Ｒに形成した各第１，第２ガイド溝２３ｃ，２３ｄ内に第１筐体１２の板状面部１２ｈ上の左右に形成した各ボス１２ｈ３，１２ｈ４が嵌合しているので、左右一対のスライドプレート２３Ｌ，２３Ｒが矢印Ｘ１，Ｘ２方向に移動可能になっていると共に、この矢印Ｘ１，Ｘ２方向への移動に伴って、上記したボス／カム溝嵌合により左右一対の第１カートリッジロックレバー２１Ｌ，２１Ｒ及び左右一対の第２カートリッジロックレバー２２Ｌ，２２Ｒがロック解除方向，ロック方向に回動可能になっている。
【００８１】
更に、左右一対のスライドプレート２３Ｌ，２３Ｒに形成した各操作用突出片２３ｆ，２３ｆが第１筐体１２の平坦な面１２ａ側から凸状面部１２ｇの左右側方に貫通して穿設した各第１長孔（１２ａ２…図示せず），１２ａ２内に進入した状態で、左右一対の第１引張バネ２４Ｌ，２４Ｒを左右一対のスライドプレート２３Ｌ，２３Ｒに形成した各バネ掛止片２３ｅ，２３ｅと、第１筐体１２の凸状面部１２ｇの左右側方に形成した各第１バネ掛止片１２ｈ５，１２ｈ５との間に掛け渡すことで、左右一対の第１引張バネ２４Ｌ，２４Ｒの付勢力により左右一対のスライドプレート２３Ｌ，２３Ｒが矢印Ｘ１方向に常時付勢されている。
【００８２】
次に、上記した左右一対のスライドプレートロックレバー２５Ｌ，２５Ｒは、第１筐体１２の裏面側に突出した凸状面部１２ｇの後方に位置した板状面部１２ｈ上で挿入方向後端面１２ｃ側に左右対称に配置されている。
【００８３】
また、左右一対のスライドプレートロックレバー２５Ｌ，２５Ｒそれぞれは、貫通して穿設した軸孔２５ａを介したレバー先端に手動操作される操作用ボス２５ｂが上下に向かって突出され、且つ、軸孔２５ａを介したレバー後端にバネ掛止片２５ｃが形成されている。
【００８４】
尚、左右一対のスライドプレートロックレバー２５Ｌ，２５Ｒそれぞれに、操作用ボス２５ｂを上下に突出させることにより、表裏を反転すれば左右対称になるので左右共用化して部品点数の削減を図ることができる。
【００８５】
そして、左右一対のスライドプレートロックレバー２５Ｌ，２５Ｒに穿設した各軸孔２５ａ，２５ａが第１筐体１２の板状面部１２ｈ上で後方左右に形成した各ボス１２ｈ６，１２ｈ６に回動自在に嵌合しており、且つ、左右一対のスライドプレートロックレバー２５Ｌ，２５Ｒに形成した各操作用ボス２５ｂ，２５ｂが第１筐体１２の平坦な面１２ａ側から板状面部１２ｈの後方左右に貫通して穿設した各第２長孔１２ａ３，１２ａ３内に進入した状態で、左右一対の第２引張バネ２６Ｌ，２６Ｒを左右一対のスライドプレートロックレバー２５Ｌ，２５Ｒに形成した各バネ掛止片２５ｃ，２５ｃと、第１筐体１２の板状面部１２ｈ上の後方左右に形成した各第２バネ掛止片１２ｈ７，１２ｈ７との間に掛け渡すことで、左側の第２引張バネ２６Ｌの付勢力により左側のスライドプレートロックレバー２５Ｌが矢印Ｙ１方向に常時付勢され、右側の第２引張バネ２６Ｒの付勢力により右側のスライドプレートロックレバー２５Ｒが矢印Ｙ２方向に常時付勢されている。
【００８６】
更に、左右一対のスライドプレートロックレバー２５Ｌ，２５Ｒに形成した各操作用ボス２５ｂ，２５ｂが上記した各第２長孔１２ａ３，１２ａ３内に進入した状態で、後述するように各操作用ボス２５ｂ，２５ｂを手動操作することにより、左右一対のスライドプレートロックレバー２５Ｌ，２５Ｒの各操作用ボス２５ｂ，２５ｂが左右一対のスライドプレート２３Ｌ，２３Ｒの各内側面２３ｇ，２３ｇに摺接して左右一対のスライドプレート２３Ｌ，２３Ｒのロックが解除された第１態様を取り、また、後述するように左右一対のスライドプレート２３Ｌ，２３Ｒの各操作用突出片２３ｆ，２３ｆを手動操作することにより、左右一対のスライドプレートロックレバー２５Ｌ，２５Ｒの各操作用ボス２５ｂ，２５ｂが左右一対のスライドプレート２３Ｌ，２３Ｒの各後端面２３ｈ，２３ｈに当接して左右一対のスライドプレート２３Ｌ，２３Ｒをロックする第２態様を取り得るようになっている。
【００８７】
次に、上記のように構成したＨＤＤカートリッジのロック／ロック解除機構部２０の動作について図４，図６〜図８を用いて説明する。
【００８８】
まず、図７（ａ），（ｂ）は、第１筐体１２のカートリッジ装着部１２ｆ内にＨＤＤカートリッジ２又はＨＤＤカートリッジ３が装着されていない初期状態、又は、第１筐体１２のカートリッジ装着部１２ｆ内に選択的に装着されたＨＤＤカートリッジ２又はＨＤＤカートリッジ３のロックが解除されているロック解除状態を示している。
【００８９】
ここで、実施例のハードディスクドライブカートリッジ装着用アダプタ１０を使用しない時に、ＨＤＤカートリッジのロック／ロック解除機構部２０を初期状態に設定する場合には、図４（ａ），（ｂ）に示したように、第１筐体１２の平坦な面１２ａの後方左右に穿設した各第２長孔１２ａ３，１２ａ３内に進入している左右一対のスライドプレートロックレバー２５Ｌ，２５Ｒの各操作用ボス２５ｂ，２５ｂを、手動操作により図７に示したように左右一対の第２引張バネ２６Ｌ，２６Ｒの付勢力に抗して矢印Ｙ２方向，矢印Ｙ１方向に左右対称に回動させると、左右一対のスライドプレートロックレバー２５Ｌ，２５Ｒの各操作用ボス２５ｂ，２５ｂが左右一対のスライドプレート２３Ｌ，２３Ｒの各内側面２３ｇ，２３ｇ側に移動するので、左右一対のスライドプレート２３Ｌ，２３Ｒは左右一対の第１引張バネ２４Ｌ，２４Ｒの付勢力により矢印Ｘ１方向にそれぞれ移動する。
【００９０】
そして、左右一対のスライドプレート２３Ｌ，２３Ｒの矢印Ｘ１方向への移動に伴って、
左右一対のスライドプレート２３Ｌ，２３Ｒに対して前述したボス／カム溝嵌合している左右一対の第１カートリッジロックレバー２１Ｌ，２１Ｒ及び左右一対の第２カートリッジロックレバー２２Ｌ，２２がそれぞれに形成したカム溝２１ｃ，２２ｃ（図６）の形状に応じて回動するので、左右一対の第１カートリッジロックレバー２１Ｌ，２１Ｒに形成した各ロック爪２１ｂ，２１ｂが第１筐体１２のカートリッジ装着部１２ｆと対応した凸状面部１２ｇの左右に形成した各第１矩形孔１２ｆ２，１２ｆ２内から退避すると共に、左右一対の第２カートリッジロックレバー２２Ｌ，２２Ｒに形成した各ロック爪２２ｂ，２２ｂも第１筐体１２のカートリッジ装着部１２ｆと対応した凸状面部１２ｇの左右に形成した各第２矩形孔１２ｆ３，１２ｆ３内から退避する。
【００９１】
これにより、第１筐体１２のカートリッジ装着部１２ｆ内に、図１（ｂ）に示した２．５インチ型のＨＤＤカートリッジ２又は図１（ｃ）に示した１．８インチ型のＨＤＤカートリッジ３のいずれか一方を選択的に挿入することができる。
【００９２】
一方、第１筐体１２のカートリッジ装着部１２ｆ内に選択的に挿入された２．５インチ型のＨＤＤカートリッジ２又は１．８インチ型のＨＤＤカートリッジ３がＨＤＤカートリッジのロック／ロック解除機構部２０によりロックされている状態からロックを解除する動作も初期状態と同じように操作すれば良いことは明らかである。
【００９３】
次に、図８（ａ），（ｂ）は、第１筐体１２のカートリッジ装着部１２ｆ内に選択的に装着された２．５インチ型のＨＤＤカートリッジ２又は１．８インチ型のＨＤＤカートリッジ３をＨＤＤカートリッジのロック／ロック解除機構部２０によりロックする状態を示している。
【００９４】
ここで、ＨＤＤカートリッジのロック／ロック解除機構部２０をロック状態に設定する場合には、図４（ａ），（ｂ）に示したように、第１筐体１２の平坦な面１２ａの後方左右に穿設した各第１長孔１２ａ２，１２ａ２内に進入している左右一対のスライドプレート２３Ｌ，２３Ｒの各操作用突出片２３ｆ，２３ｆを、手動操作により図８に示したように左右一対の第１引張バネ２４Ｌ，２４Ｒの付勢力に抗して矢印Ｘ２方向に移動させると、左右一対のスライドプレートロックレバー２５Ｌ，２５Ｒの各操作用ボス２５ｂ，２５ｂが左右一対の第２引張バネ２６Ｌ，２６Ｒの付勢力により左右一対のスライドプレート２３Ｌ，２３Ｒの各内側面２３ｇ，２３ｇから各後端面２３ｈ，２３ｈ側に移動して各後端面２３ｈ，２３ｈに当接するので、左右一対のスライドプレート２３Ｌ，２３Ｒが左右一対のスライドプレートロックレバー２５Ｌ，２５Ｒによりロックされる。
【００９５】
この際、左右一対のスライドプレート２３Ｌ，２３Ｒの矢印Ｘ２方向への移動に伴って、左右一対のスライドプレート２３Ｌ，２３Ｒに対して前述したボス／カム溝嵌係合している左右一対の第１カートリッジロックレバー２１Ｌ，２１Ｒ及び左右一対の第２カートリッジロックレバー２２Ｌ，２２がそれぞれに形成したカム溝２１ｃ，２２ｃ（図６）の形状に応じて回動するので、左右一対の第１カートリッジロックレバー２１Ｌ，２１Ｒに形成した各ロック爪２１ｂ，２１ｂが第１筐体１２のカートリッジ装着部１２ｆと対応した凸状面部１２ｇの左右に形成した各第１矩形孔１２ｆ２，１２ｆ２内からカートリッジ装着部１２ｆ内に進入すると共に、左右一対の第２カートリッジロックレバー２２Ｌ，２２Ｒに形成した各ロック爪２２ｂ，２２ｂも第１筐体１２のカートリッジ装着部１２ｆと対応した凸状面部１２ｇの左右に形成した各第２矩形孔１２ｆ３，１２ｆ３内からカートリッジ装着部１２ｆ内に進入する。
【００９６】
この後、第１筐体１２のカートリッジ装着部１２ｆ内に進入した左右一対の第１カートリッジロックレバー２１Ｌ，２１Ｒに形成した各ロック爪２１ｂ，２１ｂ及び左右一対の第２カートリッジロックレバー２２Ｌ，２２Ｒに形成した各ロック爪２２ｂ，２２ｂは、図１（ｂ）に示したＨＤＤカートリッジ２の左右の誤挿入防止溝兼係止溝２ｃ１，２ｄ１、又は、図１（ｃ）に示したＨＤＤカートリッジ３の左右の誤挿入防止溝兼係止溝３ｃ１，３ｄ１に係合するので、ＨＤＤカートリッジ２又はＨＤＤカートリッジ３が第１筐体１２のカートリッジ装着部１２ｆ内に確実にロックされた状態に至る。
【００９７】
そして、第１筐体１２のカートリッジ装着部１２ｆ内に選択的に装着されたＨＤＤカートリッジ２又はＨＤＤカートリッジ３がＨＤＤカートリッジのロック／ロック解除機構部２０によりロックされた後には外部に飛び出さないので、実施例のハードディスクドライブカートリッジ装着用アダプタ１０を図２（ａ），（ｂ）に示したＡＶ機器５又はＰＣ６に対して安心して挿脱することができる。
【００９８】
以上詳述した本発明に係る実施例のハードディスクドライブカートリッジ装着用アダプタ１０によると、所定サイズ（最大サイズ）のハードディスクドライブカートリッジ１と外形形状が略同じに形成された筐体１１内に、所定サイズ（最大サイズ）のハードディスクドライブカートリッジ１よりも小型サイズで少なくとも奥行き寸法が異なる２種類のハードディスクドライブカートリッジ２，３のいずれか一方をカートリッジ装着部１２ｆ内に選択的に装着した状態で、このハードディスクドライブカートリッジ装着用アダプタ１０をＡＶ機器５やＰＣ６内に装填したときに、各ハードディスクドライブカートリッジ１〜３にそれぞれ取り付けたコネクタ４とＡＶ機器やＰＣ内にそれぞれ設けたコネクタ７とが互換性を持って接続することができると共に、第１筐体１２のカートリッジ装着部１２ｆ内に選択的に装着した２種類の小型サイズのハードディスクドライブカートリッジ２，３のいずれか一方がＨＤＤカートリッジのロック／ロック解除機構部２０によりロックされた後には外部に飛び出さないので、実施例のハードディスクドライブカートリッジ装着用アダプタ１０を図２（ａ），（ｂ）に示したＡＶ機器５又はＰＣ６に対して安心して挿脱することができるので、使用勝手が良好で且つ信頼性が高いハードディスクドライブカートリッジ装着用アダプタを提供できる。
【００９９】
そして、上記したハードディスクドライブカートリッジ装着用アダプタ１０を適用する場合には、従来例と異なってＡＶ機器５やＰＣ６側にそれぞれ挿脱口５ｂ，６ｂを１箇所だけ形成すれば良いので外観が良好となると共に、ＡＶ機器５やＰＣ６内にそれぞれコネクタ７を１箇だけ設ければ良いのでＡＶ機器５やＰＣ６を安価に提供できる。
【図面の簡単な説明】
【０１００】
【図１】外形形状が異なる複数種のハードディスクドライブカートリッジを説明するための斜視図であり、（ａ）は３．５インチ型、（ｂ）は２．５インチ型、（ｃ）は１．８インチ型を示した図である。
【図２】（ａ），（ｂ）は３．５インチ型のハードディスクドライブカートリッジ、又は、実施例のハードディスクドライブカートリッジ装着用アダプタが装填されるＡＶ機器又はＰＣを示した斜視図である。
【図３】（ａ），（ｂ）は本発明に係る実施例のハードディスクドライブカートリッジ装着用アダプタを上方，下方から見た斜視図である。
【図４】（ａ），（ｂ）は本発明に係る実施例のハードディスクドライブカートリッジ装着用アダプタのカートリッジ装着部内に、２．５インチ型のハードディスクドライブカートリッジ，１．８インチ型のハードディスクドライブカートリッジをそれぞれ装着した状態を示した斜視図である。
【図５】（ａ），（ｂ）は本発明に係る実施例のハードディスクドライブカートリッジ装着用アダプタのカートリッジ装着部内に、２．５インチ型のハードディスクドライブカートリッジ，１．８インチ型の各ハードディスクドライブカートリッジをそれぞれ装着した時に、各ハードディスクドライブカートリッジに取り付けた各コネクタを示した前面図である。
【図６】本発明に係る実施例のハードディスクドライブカートリッジ装着用アダプタにおいて、ＨＤＤカートリッジのロック及びロック解除機構部を示した斜視図である。
【図７】（ａ），（ｂ）は本発明に係る実施例のハードディスクドライブカートリッジ装着用アダプタにおいて、ＨＤＤカートリッジのロック／ロック解除機構部が初期状態であり、且つ、ＨＤＤカートリッジのロックを解除する状態を説明するための斜視図，平面図である。
【図８】（ａ），（ｂ）は本発明に係る実施例のハードディスクドライブカートリッジ装着用アダプタにおいて、ＨＤＤカートリッジをロックする状態を説明するための斜視図，平面図である。
【図９】従来の記録装置、カートリッジを示した斜視図である。
【図１０】（ａ），（ｂ）は従来例のカートリッジにおいて、外形形状が異なる２種類のリムーバルハードディスクのカートリッジをそれぞれ示した斜視図である。
【符号の説明】
【０１０１】
１…３．５インチ型のハードディスクドライブカートリッジ（ＨＤＤカートリッジ）、
１ａ…挿入方向前端面、１ｂ…挿入方向後端面、
１ｃ，１ｄ…左右の側面、１ｃ１，１ｄ１…誤挿入防止溝、
１ｅ，１ｆ…平坦な面、
２…２．５インチ型のハードディスクドライブカートリッジ（ＨＤＤカートリッジ）、
２ａ…挿入方向前端面、２ｂ…挿入方向後端面、
２ｃ，２ｄ…左右の側面、２ｃ１，２ｄ１…誤挿入防止溝兼係止溝、
２ｃ２，２ｄ２…第１位置決め溝、２ｃ３，２ｄ３…第２位置決め溝、
２ｅ，２ｆ…平坦な面、
３…１．８インチ型のハードディスクドライブカートリッジ（ＨＤＤカートリッジ）、
３ａ…挿入方向前端面、３ｂ…挿入方向後端面、
３ｃ，３ｄ…左右の側面、３ｃ１，３ｄ１…誤挿入防止溝兼係止溝、
３ｃ２，３ｄ２…第１位置決め溝、３ｃ３，３ｄ３…第２位置決め溝、
３ｅ，３ｆ…平坦な面、
４…コネクタ、５…ＡＶ機器、６…ＰＣ、７…コネクタ、
１０…実施例のハードディスクドライブカートリッジ装着用アダプタ、
１１…筐体、
１２…第１筐体、１２ａ…平坦な面、
１２ｂ…挿入方向前端面、１２ｂ１…コネクタ用開口部、
１２ｃ…挿入方向後端面、
１２ｄ，１２ｅ…左右の側面、
１２ｆ…カートリッジ装着部、１２ｆ２…第１矩形孔、１２ｆ３…第２矩形孔、
１２ｆ４…カートリッジ載置用段部、１２ｆ５…位置決め用突起、１２ｇ…凸状面部、
１２ｈ…板状面部、１２ｈ１〜１２ｈ４…ボス、１２ｈ５…第１バネ掛止片、
１２ｈ６…ボス、１２ｈ７…第２バネ掛止片、
１３…第２筐体、１３ａ…平坦な面、
１３ｂ…挿入方向前端面、１３ｃ…挿入方向後端面、
１３ｄ，１３ｅ…左右の側面、１３ｄ１，１３ｅ１…誤挿入防止溝、
１３ｄ２，１３ｅ２…孔、
２０…ＨＤＤカートリッジのロック／ロック解除機構部、
２１Ｌ，２１Ｒ…左右一対の第１カートリッジロックレバー、
２１ａ…軸孔、２１ｂ…ロック爪、２１ｃ…カム溝、
２２Ｌ，２２Ｒ…左右一対の第２カートリッジロックレバー、
２２ａ…軸孔、２２ｂ…ロック爪、２２ｃ…カム溝、
２３Ｌ，２３Ｒ…左右一対のスライドプレート、
２３ａ…第１ボス、２３ｂ…第２ボス、２３ｃ，２３ｄ…第１，第２ガイド溝、
２３ｅ…バネ掛止片、２３ｆ…操作用突出片、
２４Ｌ，２４Ｒ…左右一対の第１引張バネ、
２５Ｌ，２５Ｒ…左右一対のスライドプレートロックレバー、
２５ａ…軸孔、２５ｂ…操作用ボス、２５ｃ…バネ掛止片、
２６Ｌ，２６Ｒ…左右一対の第２引張バネ、
Ｄ１…アダプタの奥行き寸法、Ｈ１…アダプタの高さ寸法、Ｗ１…アダプタの幅寸法。
【図１】
2008117465.tif 000003
【図２】
2008117465.tif 000004
【図３】
2008117465.tif 000005
【図４】
2008117465.tif 000006
【図５】
2008117465.tif 000007
【図６】
2008117465.tif 000008
【図７】
2008117465.tif 000009
【図８】
2008117465.tif 000010
【図９】
2008117465.tif 000011
【図１０】
2008117465.tif 000012